【事件の表示】
　特許第３４２７２１８号「電子スチルカメラ」の請求項１ないし３に係る特許に対する特許異議の申立てについて、次のとおり決定する。
【結　論】
　訂正を認める。
　特許第３４２７２１８号の請求項１ないし２に係る特許を取り消す。
　同請求項３に係る特許を維持する。
【理　由】
１．手続の経緯
　特許第３４２７２１８号の請求項１ないし３に係る発明は、平成５年６月２３日に特許出願され、平成１５年５月１６日にその特許権の設定登録がなされ、その後、有限会社オフィスアテナ（代表者　藁科ひさ子）より特許異議の申立てがなされ、取消しの理由が通知され、その指定期間内である平成１７年４月２５日に訂正請求がなされたものである。
　
２．訂正の適否についての判断
（１）訂正の内容
　本件訂正は、以下のとおりである。
ア．訂正事項ａ
　特許請求の範囲の請求項１ないし３を以下のごとく訂正する。
「【請求項１】　
　被写体像を形成する撮像機構と、該撮像機構により形成された被写体像を電気信号に変換する撮像素子と、該撮像素子により電気信号に変換された画像情報を記録媒体に記録する記録手段と、撮影動作の制御に関して複数の撮影モードの中から所定の撮影モードを設定する設定手段と、該設定手段により設定された設定撮影モードを記憶する記憶手段と、前記設定撮影モードに基づく撮影動作の制御を行う制御手段とを備えた電子スチルカメラにおいて、
　前記設定撮影モードを前記記録媒体に書き込む設定撮影モード書き込み手段と、
　前記記録媒体に記録された前記設定撮影モードを前記記憶手段に読み出す設定撮影モード読み込み手段とを備えたことを特徴とする電子スチルカメラ。
【請求項２】　
　前記記録媒体がカメラに装着されたことを検出する検出手段を備え、前記設定撮影モード読み込み手段は、前記検出手段の検出信号に基づいて、前記設定撮影モードの読み込みを開始することを特徴とする請求項１に記載の電子スチルカメラ。
【請求項３】　
　前記記録媒体を初期化する場合に、前記設定撮影モード書き込み手段が、前記初期化した記録媒体に前記設定撮影モードを記録することを特徴とする請求項１に記載の電子スチルカメラ。
イ．訂正事項ｂ
　上記訂正事項ａと発明の詳細な説明との整合をはかるよう、段落【００１２】ないし【００１４】、【００１６】ないし【００２１】、【００２７】を訂正する。
　
（２）訂正の目的の適否、新規事項の有無及び拡張・変更の存否
　上記訂正事項ａは、特許請求の範囲の減縮を目的とした明細書の訂正に該当する。
　また、上記訂正事項ｂについては、上記訂正事項ａと整合を図るものであるから、明りょうでない記載の釈明を目的とした明細書の訂正に該当する。
　そして、いずれの訂正も、新規事項の追加に該当せず、実質的に特許請求の範囲を拡張又は変更するものではない。
　
（３）むすび
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　
３．特許異議申立てについての判断
（１）申立ての理由の概要
　異議申立人有限会社オフィスアテナ（代表者　藁科ひさ子）は、請求項１ないし３（全請求項）に係る発明は、甲第１号証（特開平５−１５３４５５号公報）、甲第２号証（特開平２−１４００７２号公報）、甲第３号証（特開平４−２１２５８２号公報）をもとに容易に発明をすることができたものであり、特許法第２９条第２項の規定により、特許を受けることができないものであるから、特許を取り消すべきと主張している。
　
（２）本件の請求項１ないし３に係る発明
　上記２．で示したように上記訂正が認められるから、本件の訂正された請求項１ないし３に係る発明（以下、「本件訂正発明１」ないし「本件訂正発明３」という）は、上記訂正請求に係る訂正明細書の特許請求の範囲の請求項１ないし３に記載された事項（２（１）ア．訂正事項ａ参照）により特定されるとおりのものである。
　
（３）取消理由通知における刊行物
ア．刊行物１：特開平５−１５３４５５号公報（異議申立人有限会社オフィスアテナ（代表者　藁科ひさ子）提示の甲第１号証）には以下の点が記載されている。
（ア）「本発明は、被写体の光画像を光電変換により電気画像信号に変換して画像の記録を行うスチルビデオカメラに関し、特に、被写体撮影時の撮影データ（シャッタスピード、絞り値等）を画像と共に記録し、記録した撮影データを有効に利用するスチルビデオカメラに関する。」（２頁段落【０００１】）
（イ）「前記カメラ本体１のシステム構成を図２に示す。信号の経路に従って説明すると、撮像レンズ２を含む光学系11を通った光は、絞り12で光量を調整されて固体撮像素子であるＣＣＤ13上に光画像を結像し、ここで、電気信号に変換される。このアナログ信号は、Ａ／Ｄ変換器14でディジタル信号に変換され、ディジタル信号処理部15でプロセス処理（ガンマ変換、ホワイトバランス、マトリクス等）される。更に、ここでは、ＣＣＤ13からの信号を利用したＡＦ（自動焦点）処理やＡＥ（自動露出）処理も行っている。その後、画像処理部16で、画像圧縮等のメモリに記録するための処理を行い、メモリカード挿入口５に挿入された記録媒体であるメモリカード17に記録される。以上は画像を記録する場合である。尚、記録媒体としては、内蔵の固定メモリでもよい。（中略）前記ＣＰＵ20は、（中略）記録又は再生時に前述したレリーズスイッチ６や各種操作スイッチ類等からなる操作部７からの指令に基づいて、上述した各回路を制御すると共に、ピント・ズーム調整部22を介して光学系11を制御するレンズ駆動回路23、絞り12を制御する絞り駆動回路24、ＣＣＤ13を制御するためのＣＣＤ駆動回路25及び信号発生器26及び液晶表示部８をそれぞれ制御する。また、ストロボ４を発光させるためストロボ制御回路27を制御する。ここで、ＣＰＵ20が撮影制御手段に相当する。」（３頁段落【００１３】ないし【００１５】、図２）
（ウ）「図４は本実施例のメモリカード17の記録マップの一例を示し、画像１枚毎に画像データとこの画像に付随する撮影データが順次記録されていく。画像１枚のデータエリア17ａ，17ｂ，17ｃ・・・には、画像そのものの画像データに加えて、画像番号（画像ＮＯ）、被写体の明るさ（Ｂv 値) 、撮影時の絞り（Ａv 値）、シャッタスピード（Ｔv 値）、ホワイトバランス（Ｒ／Ｇ／Ｂ）、日付と時刻（年月日時分秒）、被写体までの距離及びレンズの焦点距離等の撮影データが記録される。」（３頁段落【００１９】、図４）
（エ）「ステップ４では、仮露光で得られたＣＣＤ13からのデータを、Ａ／Ｄ変換し、ディジタル演算によりＡＥ、ＡＦ、ＡＷＢ（オートホワイトバランス）、ガンマ変換等の各種プロセス処理を行う。ステップ５では、画像が適正に露光されているか否かを判定する。ここで、適正でないと判定された場合（通常１回目は不適正）は、ステップ６〜８で、ステップ４の演算結果に基づき、ＡＦのデータから撮影レンズ２の位置データを変更し、ＡＥのデータから絞りとシャッタスピードデータを変更し、ホワイトバランスの演算からＲ／Ｇ／Ｂのデータを変更した後、ステップ２に戻り２回目の仮露光を行う。このループを数回繰り返し適正露光が得られると、ステップ５で適正画像と判定されステップ９以下に進む。
　ステップ９，10で、適正露光が得られた演算データ、即ち、ＡＥ値、Ｂｖ値、Ｔｖ値、Ａｖ値、色温度情報（Ｒ、Ｇ、Ｂ）、レンズ焦点距離及び被写体距離等のデータをＣＰＵ20内のＲＡＭに確定しセットし、ステップ11，12で、本露光を実行し、画像データをメモリカード17に記録する。そして、ステップ13で、ＣＰＵ20内のＲＡＭに確定セットした撮影データを画像データの記録と共にメモリカード17に記録する。」（４頁段落【００２２】【００２３】、図４）
（オ）「ロードスイッチ34が押され読み出す撮影データが確定されると、ステップ27でメモリカード17内の表示されている画像ＮＯに該当するメモリエリアから撮影データをＣＰＵ20内のＲＡＭの所定エリアに読み出す。（中略）前述した図６に示す撮影データの読み出しが終了し、レリーズスイッチ６が押されると、スイッチ32で、読み出した撮影データに基づき、絞り、シャッタスピード、レンズ位置のセット動作が実行される。」（４頁段落【００２５】ないし【００２６】、図６）
（カ）「撮影データとしては、前述したデータに限定されるものではなく、他にも、画像の圧縮率等があり、同一の圧縮率で画像圧縮を行い再度記録することも可能である。」（５頁段落【００３０】、図７）
イ．刊行物２：特開平２−１４００７２号公報（異議申立人有限会社オフィスアテナ（代表者　藁科ひさ子）提示の甲第２号証）には以下の点が記載されている。
（ア）「上記磁気ディスク２７の装着部分には、ディスク装着の有無を検知するディスク検知スイッチ２８（中略）が設けられ、その検知信号はシステム制御１３へ送られる。」（２頁右下欄１９行ないし３頁左上欄４行）
（イ）「ステップＡ３に示すようにディスク検知スイッチ２８の検知信号に基づいて磁気ディスク２７が装着されているか否かを判別し、（中略）上記ステップＡ３において、磁気ディスク２７が装着されていると判断された場合は、ステップＡ１０に進んで消去モードか否かを判別し、（中略）処理を実行する。」（４頁右上欄１０行ないし左下欄２０行）
ウ．刊行物３：特開平４−２１２５８２号公報（異議申立人有限会社オフィスアテナ（代表者　藁科ひさ子）提示の甲第３号証）には以下の点が記載されている。
（ア）「ＣＰＵ１０は、画像データのコンピュータのオペレーティングシステム（不図示）における補助記憶装置（不図示）フォーマット仕様で記録媒体に記録するための記録形態制御手段（ＲＯＭ１０ａなど）を含んでいる。そしてこのＲＯＭ１０ａは、初期化手段をも含む場合が有る。」（３頁段落【００１７】）
（イ）「本実施例における磁気ディスク２３は、トラック数、セクタ数／トラック、クラスタ数／セクタ、セクタサイズ、クラスタサイズ、ファイルアロケーションテーブル（以下ＦＡＴと略称する）、といったフォーマット仕様が全て所定形式のものに決められている。」（３頁段落【００２２】）
（ウ）「カメラに対し、新品あるいは他のフォーマットで記録されている磁気ディスク２３がセットされた場合には、上記ＲＯＭ１０ａに格納されているデータに従い磁気ディスク２３にＦＡＴなどのディスクの管理情報が書き込まれ、磁気ディスクを初期化する。」（３頁段落【００２４】）
　
（４）本件訂正発明１と刊行物１記載の発明（以下、「刊行物発明」という）との対比
　本件訂正発明１と刊行物発明を対比すると、
ア．刊行物発明の撮影データおよび本件訂正発明１の撮影モードもいずれも撮影情報といえるものであるところ、
　上記３（３）ア（エ）（カ）によれば、刊行物発明は、適正露光が得られた演算データ（ＡＥ値、Ｂｖ値、Ｔｖ値、Ａｖ値、色温度情報（Ｒ、Ｇ、Ｂ）、レンズ焦点距離及び被写体距離、圧縮率等）をＣＰＵ20内のＲＡＭに確定しセットした撮影データを画像データの記録と共にメモリカード17に記録するものであり、刊行物発明の「セット」は本件訂正発明１の「設定」に相当するから、結局刊行物発明と本件訂正発明１とは「撮影動作の制御に関して複数の撮影情報の中から所定の撮影情報を設定する設定手段」「設定手段により設定された設定撮影情報を記憶する記憶手段」を備えている点で一致している。
　また、上記３（３）ア（ア）（イ）（ウ）によれば、刊行物発明と本件訂正発明１とは「被写体像を形成する撮像機構」「撮像機構により形成された被写体像を電気信号に変換する撮像素子」「撮像素子により電気信号に変換された画像情報を記録媒体に記録する記録手段」「設定撮影情報を記録媒体に書き込む設定撮影情報書き込み手段」を備えている点で一致していることは明らかである。
　さらに、上記３（３）ア（イ）（オ）によれば、刊行物発明は、設定撮影情報を記録媒体から読み出し、ＣＰＵが撮影動作を制御しているといえるから、刊行物発明と本件訂正発明１とは「設定撮影情報に基づく撮影動作の制御を行う制御手段」「記録媒体に記録された設定撮影情報を記憶手段に読み出す設定撮影情報読み込み手段」を備えている点で一致している。
イ．してみると、結局両者は「被写体像を形成する撮像機構と、該撮像機構により形成された被写体像を電気信号に変換する撮像素子と、該撮像素子により電気信号に変換された画像情報を記録媒体に記録する記録手段と、撮影動作の制御に関して複数の撮影情報の中から所定の撮影情報を設定する設定手段と、該設定手段により設定された設定撮影情報を記憶する記憶手段と、前記設定撮影情報に基づく撮影動作の制御を行う制御手段とを備えたカメラにおいて、前記設定撮影情報を前記記録媒体に書き込む設定撮影情報書き込み手段と、前記記録媒体に記録された前記設定撮影情報を前記記憶手段に読み出す設定撮影情報読み込み手段とを備えたことを特徴とするカメラ。」である点で一致し、次の点で一応相違しているものと認められる。
（ア）設定される撮影情報について、本件訂正発明１が「撮影モード」であるのに対し、刊行物発明は「撮影データ」である点
（イ）カメラについて、本件訂正発明１が「電子スチルカメラ」であるのに対し、刊行物発明は「スチルビデオカメラ」である点
　以下、相違点（ア）について検討すると、
　本件明細書段落【０００３】【００１１】【００２４】の記載を参酌すれば、本件訂正発明１の撮影モードにはホワイトバランスモード、画質（圧縮率）モードが含まれると解される。一方、刊行物発明の撮影データには、ホワイトバランスに基づく色温度情報（ＲＧＢ）のデータ（以下、「ホワイトバランス関連データ」という）、圧縮率データが含まれ、そのデータが「セット」（本件訂正発明１の「設定」に相当）されるものである。そして、ホワイトバランスモード及びホワイトバランス関連データ、あるいは、画質（圧縮率）モード及び圧縮率データは、いずれも、カメラの操作者の操作によるかあるいはカメラ内部の動作によるかに関わらず、記録されうるデータとして取りうる値の中から選択され設定（セット）され記録媒体に記録されるものといえる。してみると、本件訂正発明１の撮影モード（ホワイトバランスモード、画質（圧縮率）モード）と刊行物発明の撮影データ（ホワイトバランス関連データ、圧縮率データ）との間に実質的な差があるとはいえない。
　また、相違点（イ）について検討すると、
　スチルビデオカメラと、電子スチルカメラとは、露光して撮像素子により撮像された静止画像を記録する点において共通しているから、スチルビデオカメラについての技術事項を電子スチルカメラに採用することは、当業者が容易に推考しえたものといえる。
　そして、これら相違点を総合的に検討しても当業者が容易に推考し得たものであり、また、上記相違点に基づく本件訂正発明１の効果に格別顕著なものがあるとはいえない。
　
（５）本件訂正発明２と刊行物発明との対比
　本件訂正発明２は、本件訂正発明１に「記録媒体がカメラに装着されたことを検出する検出手段を備え、設定撮影モード読み込み手段は、前記検出手段の検出信号に基づいて、前記設定撮影モードの読み込みを開始すること」を付加したものであるところ、刊行物２（上記３（３）イ（ア）（イ）参照）には、記録媒体が装着されたことを検出してなんらかの制御動作を行う点が開示されており、記録媒体からの撮影データの読み込みを上記検出にともない行うことも適宜なし得るといえるから、本件訂正発明１についての考察を勘案すれば、本件訂正発明２は刊行物１、２記載の発明から当業者が容易に推考し得たものであり、また、上記相違点に基づく本願発明の効果に格別顕著なものがあるとはいえない。
　
（６）本件訂正発明３と刊行物発明との対比
　本件訂正発明３は、本件発明１に「記録媒体を初期化する場合に、設定撮影モード書き込み手段が、前記初期化した記録媒体に前記設定撮影モードを記録すること」点を付加したものであるところ、刊行物３（上記３（３）ウ（ア）（イ）（ウ）参照）にも一般的な初期化についての記載はあるものの、媒体の初期化にともなって、本体側にある初期化と無関係な設定データを記録する点の記載はなく、結局この点は、いずれの刊行物にも記載も示唆もない。
　そして、これにより「設定データ書き込みスイッチ９をいちいち操作する煩雑さがなく」「設定データの確実な記録が簡単に行われる」という本願特有の効果を奏するものであり、刊行物１ないし３記載の発明から当業者が容易に推考しえたとすることはできない。
　
（７）むすび
　以上のとおりであるから、本件訂正発明１，２は、刊行物１あるいは１，２に記載された発明に基いて当業者が容易に発明をすることができたものであるので、特許法第２９条第２項の規定により特許を受けることができない。
　したがって、本件訂正発明１，２についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２号の規定により、取り消すべきものである。
　一方、本件訂正発明３は、当業者が容易に発明をすることができたものとはいえない。
　また、他に本件訂正発明３についての特許を取り消すべき理由を発見しない。
　したがって、本件訂正発明３についての特許は拒絶の査定をしなければならない特許出願に対してされたものと認めない。
　よって、結論のとおり決定する。
【異議決定日】
平成１７年５月３１日（２００５．５．３１）
【訂正の要旨】
審決（決定）の【理由】欄参照。
（５４）【発明の名称】
電子スチルカメラ
（５７）【特許請求の範囲】
　【請求項１】
　被写体像を形成する撮像機構と、該撮像機構により形成された被写体像を電気信号に変換する撮像素子と、該撮像素子により電気信号に変換された画像情報を記録媒体に記録する記録手段と、撮影動作の制御に
関して複数の撮影モードの中から所定の撮影モードを設定する
撮影モード
撮影モード
　前記設定
撮影モード
撮影モード
　前記記録媒体に記録された前記設定
撮影モード
撮影モード
　【請求項２】
　前記記録媒体がカメラに装着されたことを検出する検出手段を備え、前記設定
撮影モード
撮影モード
　【請求項３】
　前記記録媒体を初期化する場合に、前記設定
撮影モード
撮影モード
【発明の詳細な説明】
　【０００１】
　【産業上の利用分野】
　本発明は、電子スチルカメラに関し、特に使用者が撮影動作に関し、独自に設定した様々な設定情報を撮影画像を記憶する記憶媒体中に書き込むことが可能な電子スチルカメラに関するものである。
　【０００２】
　【従来の技術】
　近年、撮像機構により光電変換素子上に形成された被写体像を電気信号に変換して、得られた画像情報を磁気記録媒体等に記録する電子スチルカメラが提供されているが、このような電子スチルカメラにおいては、使用者の様々な要求を満たすために、従来の銀塩フィルムを用いたカメラと同様の種々の撮影モードや、電気信号として画像情報が得られるとの電子カメラに特有の性質から、さらに様々な撮影動作に関するモードを設けている。
　【０００３】
　例えば、単写／連写モード、ＡＦモード、感度モード、ホワイトバランスモード、画質（圧縮率）モード等があるが、使用者は撮影に当たっては、これらの中から所望の撮影モードを選択して撮影を行うことができる。
　【０００４】
　また、最近では使用者の視線を検知してその視線に応じてＡＦ（自動焦点）動作を行う銀塩カメラや、撮影動作を指示する音声を予め記憶して該指示音声により撮影動作を行うことが可能な銀塩カメラなども開発されているが、これらのカメラにおいては、使用者独自の調整を行わせることにより、動作精度の向上を図っている。
　【０００５】
　すなわち、例えばその使用者独自の角膜反射に関するデータの入力を行わせることによりその使用者の視線を精度良く検知したり、また、撮影前に予めその使用者自身による指示音声を入力させ、該音声を解析してその使用者独自の音声データをカメラ内に保持することなどが行われている。
　【０００６】
　このように、近年の銀塩カメラや電子スチルカメラは、撮影動作に関する様々な機能を備えており、使用者は所望の撮影モードにより撮影を行うことが可能である。
　【０００７】
　【発明が解決しようとする課題】
　しかしながら、一方において前述のような従来の銀塩カメラや電子カメラには次のような問題があった。すなわち、カメラの使用者が複数の場合、ある者が使用した後、次のものが撮影を行う時にはカメラは前に使用した人の設定モードになっており、次の使用者は、その都度前述のような様々な撮影モードの確認を行い、必要があれば設定を変更し、また使用者独自のデータ入力などを行わなければならないとの煩わしさがあった。
　【０００８】
　また、使用者が一人の場合でも撮影の対象や使用時の状況に合わせて様々な撮影モードに変更したい場合があり、この時もその都度、様々な設定を変更しなければならなかった。
　【０００９】
　これに対して、最近ではカメラにＲＯＭカードを入れたり、また特開平２−２０７６７９号公報によるカメラでは、制御のためのデータや、プログラムの一部ないし全部をメモリカードに記憶させておき、前記メモリカードを交換してカメラの制御を変更する装置が提案されている。
　【００１０】
　しかしながら、前記メモリカードに記憶させた情報は固定されており、使用者が独自に設定した制御情報を保存し、カメラ間で使用者独自の制御情報を移したりすることはできなかった。
　【００１１】
　本発明は、かかる従来の電子カメラにおける問題点を解決すべくなされたもので、カメラの撮影動作に関するその使用者独自の設定や調整が、即座に簡単に行うことが可能な電子スチルカメラを提供することを目的とするものである。
　【００１２】
　【課題を解決するための手段】
　前記目的を達成すべく、本願の請求項１に係る発明は、被写体像を形成する撮像機構と、該撮像機構により形成された被写体像を電気信号に変換する固体撮像素子と、該固体撮像素子により電気信号に変換された画像情報を記録媒体に記録する記録手段と、撮影動作の制御に関する設定を行う設定手段と、該設定手段により設定された設定
撮影モード
撮影モード
撮影モード
撮影モード
撮影モード
撮影モード
　【００１３】
　本願の請求項２に係る発明は、前記記録媒体がカメラに装着されたことを検出する検出手段を備え、前記設定
撮影モード
撮影モード
　【００１４】
　本願の請求項３に係る発明は、前記記録媒体を初期化する場合に、前記設定
撮影モード
撮影モード
　【００１５】
　【作用】
　前記のように構成された本発明においては、前記撮像機構により前記固体撮像素子上に被写体像が形成され、該被写体像は前記固体撮像素子により電気信号に変換され、該変換された画像信号は、前記記録手段により前記記録媒体に記録される。
　【００１６】
　一方、前記設定手段によりカメラの撮影動作の制御に関する種々の設定を行うことができるが、該設定手段により設定された設定
撮影モード
撮影モード
　【００１７】
　また、前記設定
撮影モード
撮影モード
撮影モード
撮影モード
　【００１８】
　このように、本電子スチルカメラでは、撮影動作の制御に関するその使用者独自の設定
撮影モード
撮影モード
撮影モード
　【００１９】
　さらに、前記請求項２の発明においては、前記検出手段が前記記録媒体がカメラに装着されたことを検出し、この検出手段からの検出信号に基づいて、前記設定
撮影モード
撮影モード
　【００２０】
　したがって、この電子スチルカメラによれば、使用者は、前記設定
撮影モード
　【００２１】
　さらに、前記請求項３の発明においては、記録媒体を初期化した時に前記設定
撮影モード
撮影モード
撮影モード
撮影モード
撮影モード
　【００２２】
　【実施例】
　本発明の実施例を図面に基づき説明する。図１は本発明の一実施例に係る電子スチルカメラの要部の構成を示すブロック図であり、図２は、該実施例に係る電子スチルカメラの外観構成を示す斜視図である。なお、これらの図において同一又は相当する構成については同一の符号を付した。
　【００２３】
　図１に示すように、本実施例に係る電子スチルカメラは、被写体光を電気信号に変換するとともに該電気信号に対してＹ補正等の信号処理を行い画像信号を作成する撮像処理部１と、撮像処理部１からの画像信号をデジタル信号に変換するＡ／Ｄ変換部２と、該デジタル化された画像信号を一時的に蓄えるバッファメモリ３と、画像信号を圧縮する圧縮部４と、該圧縮された画像信号を記録媒体であるメモリカード６に記録するためのカードＩ／Ｆ５と、これらの装置やその他の図示しない撮影光学系や絞り等を制御し、一連の撮影シーケンスを実行する制御部７とを備えている。
　【００２４】
　また、制御部７には、撮影動作の制御に関し公知の様々な設定を行うための設定スイッチ１１が接続されている。例えばシャッタスピードや絞り値などの設定を行うスイッチや、単写／連写モードや、ＡＦ／マニュアルモード等の各種の撮影モードの設定を行うための設定スイッチなどである。
　【００２５】
　本実施例の電子カメラでは、該設定スイッチ１１は、図２に示すように、電子ダイヤルスイッチ１１により構成されており、該スイッチ１１により設定されたデータは、液晶表示装置１２に表示されるとともに、制御部７が備える不図示の記憶手段内に記憶保持される。なお、図２において、１３乃至１４はレリーズスイッチ、１５はファインダーである。
　【００２６】
　さらに、前述のような使用者の視線を検知してその視線に応じてＡＦ（自動焦点）動作を行う機能や、使用者独自の音声を解析記憶して該使用者の音声により撮影動作を行う機能を付加したカメラを構成する場合には、その使用者独自の網膜反射に関するデータやその使用者独自の音声を予め入力するための入力手段や入力されたデータを解析する解析手段を制御部に接続し、これらの手段により設定されたデータについても前記記憶手段に記憶するように構成する。
　【００２７】
　そして、本実施例に係る電子スチルカメラには、前記撮影動作に関する各種の設定スイッチ１１や入力手段により設定された設定データをメモリカード６に書き込むための書き込みスイッチ９と、逆にメモリカード６に書き込まれた設定データを前記記憶手段内に読み出すための読み出しスイッチ１０とが設けられており、これらのスイッチを操作することにより、前記設定スイッチ１１や入力手段により設定されたカメラの設定をメモリカード６内に保存することができるとともに撮影画像データと一緒に記録されたカメラの設定データをメモリカード６か
ら
　【００２８】
　すなわち、使用者は前記設定スイッチ１１等によりカメラに対して自己が望む撮影動作の種々の設定や自分に最適な調整を行うが、設定されたこれらの情報は、前記書き込みスイッチ９を操作することによりカードＩ／Ｆを介して不図示の記録手段により撮影画像データを記録するメモリカード６内に書き込まれる。
　【００２９】
　そして、例えば他の者がカメラを使用した場合にも、新たな使用者は、自己の設定データが記録されたメモリカードをカメラに装着して前記読み込みスイッチ１０を操作すれば、該メモリカード内に記憶された該使用者の設定データが読み出され、制御部７は該設定データに基づいて撮影動作を行うため、カメラの様々な設定を確認する必要がなく、直ちに撮影の準備を完了することができる。
　【００３０】
　また、例えば風景や、人物、スポーツ写真等、撮影対象毎にメモリカードを使い分け、撮影対象に応じた設定情報を記録させておけば、被写体に応じた様々な設定（撮影準備）を即座に実現することが可能となる。
　【００３１】
　さらに、本電子カメラは、メモリカード６がカメラに装着されたことを検出する検出手段（図示せず）を備えるとともに、メモリカード６からの設定情報の読み込みを自動的に行うモードを設定するスイッチ８が設けられており、このスイッチ８を自動モードに設定すれば、制御部７は前記検出手段からの検出信号を検知した場合には、自動的にメモリカード６内に記録されている設定情報を読み込んで該情報に基づいてカメラの設定を行う。
　【００３２】
　したがって、この自動モードを選択しておけば、設定データの読み込みスイッチ１０を操作しなくてもメモリカードを装着するだけで自動的に所定の撮影モードの設定等を行うことが可能となる。
　【００３３】
　なお、前記記憶手段と前記書き込み手段については、カメラ内で別々の構成の物であっても両方の機能を備えた物であってもかまわない。
　【００３４】
　さらに、前記電子カメラにおいて、前記記録媒体を初期化する場合に、前記設定情報書き込み手段が、前記初期化した記録媒体に前記設定情報を記録する構成にすることもできる。つまり、初期化を行う機能を備えているので、メモリカード６に記録されている不要な情報を簡単に消去することができ、効率的にメモリカード６を使用することが可能である。
　【００３５】
　加えて、種々の撮影動作の設定や自分に最適な調整を行った状態において、不要な情報が記録されているメモリカード６を装着して初期化のスイッチを入れると、メモリカード６の初期化を行うとともに、自動的にメモリカード６に現時点のカメラ設定状態を記録するという様に、初期化するだけでカメラの設定情報の記録を行うことができるので、設定データ書き込みスイッチ９をいちいち操作する煩雑さがなく、また、初期化の後自動的に設定データがメモリカード６に移されるので、設定データの確実な記録が簡単に行われる。
　【発明の効果】
　以上詳述したように、本発明によれば、カメラの撮影動作に関するその使用者独自の設定や調整が即座に簡単に行うことができる電子スチルカメラを実現することができる。
【図面の簡単な説明】
　【図１】本発明の一実施例に係る電子スチルカメラの要部の構成を示すブロック図である。
　【図２】本発明の一実施例に係る電子スチルカメラの外観構成を示す斜視図である。
　【符号の説明】
　１　撮像処理部
　２　Ａ／Ｄ変換部
　３　バッファメモリ
　４　圧縮部
　５　カードＩ／Ｆ
　６　メモリカード
　７　制御部
　８　設定データ自動読みモードスイッチ
　９　設定データ書き込みスイッチ
　１０　設定データ読み込みスイッチ
　１１　電子ダイヤル
　１２　液晶表示装置
　１３　レリーズスイッチ
　１４　レリーズスイッチ
　１５　ファインダー
尚、各図中同一符号は同一又は相当部分を示す。